(57)【要約】      （修正有）【課題】プロテクタの内部へのコネクタの組付け作業を容易化でき、かつ、プロテクタを小サイズ化できるコネクタ固定構造を実現し、コネクタ組付け作業性に優れたコンパクトなプロテクタ付きワイヤハーネスを提供する。【解決手段】電線１２が収納される略凹状の内壁を有するプロテクタに電線１２に装着されたコネクタ１５が固定されるコネクタ固定構造であって、プロテクタは、コネクタ１５に対しその雌雄結合方向にスライド可能なスライド係合部４３および雌雄結合方向の抜け止め係止部４４を有する。内底壁面３３に対し略平行に延びるコネクタ係止板４１と、コネクタ係止板４１の基端部側をプロテクタ本体の内壁に結合するとともに内底壁面３３ａに対し弾性的に傾動可能に支持する弾性支持部材４２とを含んで構成されている。【選択図】図５
2017118763.tif 000002
【特許請求の範囲】
【請求項１】
電線が収納される略凹状の内壁を有するプロテクタに前記電線に装着されたコネクタが固定されるコネクタ固定構造であって、
前記プロテクタは、
前記コネクタに対し該コネクタの結合方向にスライド可能なスライド係合部および前記コネクタに対し前記結合方向に抜け止め係止される抜け止め係止部を有し、前記内壁の壁面に対し略平行に延びるコネクタ係止板と、
前記コネクタ係止板の基端側を前記内壁に結合するとともに前記内壁の壁面に対し弾性的に傾動可能に支持する弾性支持部材と、を含んで構成されていることを特徴とするコネクタ固定構造。
【請求項２】
前記弾性支持部材は、前記結合方向を波長方向とし前記内壁の壁面から離れる前記コネクタ係止板の上面側で山となり前記コネクタ係止板の下面側で谷となる波形状をなしていることを特徴とする請求項１に記載のコネクタ固定構造。
【請求項３】
請求項１または２に記載のコネクタ固定構造を有しており、
前記電線が長さ方向の特定区間で前記プロテクタに収納されるとともに、前記電線の端部に固定された前記コネクタが前記プロテクタに固定されていることを特徴とするプロテクタ付きワイヤハーネス。
【発明の詳細な説明】
【技術分野】
【０００１】
本発明は、コネクタ固定構造およびプロテクタ付きワイヤハーネスに関し、特にワイヤハーネスの特定区間を保護するプロテクタにコネクタを固定するのに好適なコネクタ固定構造およびその構造を有するプロテクタ付きワイヤハーネスに関する。
【背景技術】
【０００２】
従来、車両用のワイヤハーネスの特定区間を保護するプロテクタにおいて、電線に装着されたコネクタを固定するコネクタ固定構造を有するものがある。
【０００３】
この種のコネクタ固定構造およびプロテクタ付きワイヤハーネスとしては、例えば、車両側に支持されるボックス形状のプロテクタの底壁部にコネクタを挿通可能な開口を形成するとともに、プロテクタの内部に複数のコネクタ取付部を設け、それらコネクタ取付部にワイヤハーネスの端末に接続された複数のコネクタを固定できるようにしたものが知られている（例えば、特許文献１参照）。
【先行技術文献】
【特許文献】
【０００４】
【特許文献１】特開２０００−２０９７３３号公報
【発明の概要】
【発明が解決しようとする課題】
【０００５】
しかしながら、上記従来のコネクタ固定構造およびプロテクタ付きワイヤハーネスにあっては、底壁部から略垂直に立ち上がるプロテクタの内壁面やプロテクタ内部を仕切る仕切壁面上に複数のコネクタ取付部が設けられ、複数のコネクタをプロテクタの上面側からプロテクタの内壁面や仕切壁面に沿って移動させながら複数のコネクタ取付部に嵌合させる構成となっていた。
【０００６】
そのため、コネクタおよびその近傍の電線の一部がプロテクタの底壁面上の高さ方向に向けて配置されることで、プロテクタのサイズがその高さ方向に大きくならざるを得ないものとなり、プロテクタを小サイズ化するプロテクタ付きワイヤハーネスのコンパクト化が困難であるという問題があった。
【０００７】
これに対し、コネクタをプロテクタの底壁面に沿って取り付けるようなコネクタ固定構造が考えられるが、コネクタをプロテクタの底壁面に沿ってスライドさせる必要から、プロテクタの底壁部から立ち上がる壁部が邪魔になり、プロテクタの内部へのコネクタの組付け作業が困難になってしまうという未解決の課題があった。
【０００８】
本発明は、このような未解決の課題を解決するものであり、プロテクタの内部へのコネクタの組付け作業を容易化し、かつ、プロテクタを小サイズ化することのできるコネクタ固定構造を実現することを目的とし、併せて、コネクタ組付け作業性に優れたコンパクトなプロテクタ付きワイヤハーネスを提供することを目的とする。
【課題を解決するための手段】
【０００９】
本発明に係るコネクタ固定構造およびプロテクタ付きワイヤハーネスは、上記目的達成のため、電線が収納される略凹状の内壁を有するプロテクタに前記電線に装着されたコネクタが固定されるコネクタ固定構造であって、前記プロテクタは、前記コネクタに対し該コネクタの結合方向にスライド可能なスライド係合部および前記コネクタに対し前記結合方向に抜け止め係止される抜け止め係止部を有し、前記内壁の壁面に対し略平行に延びるコネクタ係止板と、前記コネクタ係止板の基端側を前記内壁に結合するとともに前記内壁の壁面に対し弾性的に傾動可能に支持する弾性支持部材と、を含んで構成されている。
【００１０】
この構成により、本発明のコネクタ固定構造では、コネクタ係止板をプロテクタの底壁面等の内壁の壁面に対して容易に傾動させ、コネクタとコネクタ係止板とをプロテクタの内壁の壁面に対して傾斜する方向にスライドさせながら抜け止め係止させることが可能となる。そして、弾性支持部材の弾性回復によりスライド係合および抜け止め完了後のコネクタおよびコネクタ係止板を内壁の壁面に対して略平行な姿勢に移行させることで、コネクタ固定状態に容易に移行できる。したがって、壁部の壁面に略平行な姿勢ではプロテクタにコネクタをスライド係合させることが困難になるほど近傍に壁部が立ち上がる場合でも、プロテクタの内部へのコネクタの組付け作業が容易となり、しかも、コネクタ結合方向におけるプロテクタの奥行きと高さを抑えるプロテクタの小サイズ化が可能となる。
【００１１】
本発明のコネクタ固定構造においては、前記弾性支持部材は、前記結合方向を波長方向とし前記内壁の壁面から離れる前記コネクタ係止板の上面側で山となり前記コネクタ係止板の下面側で谷となる波形状をなしているものであるとよい。
【００１２】
なお、前記弾性支持部材が、前記プロテクタの前記内壁に一体に形成されてもよいことはいうまでもない。また、前記プロテクタの前記内壁の壁面は、前記略凹状の内底壁であるとよい。
【００１３】
本発明に係るプロテクタ付きワイヤハーネスは、上記のいずれかのコネクタ固定構造を有しており、前記電線が長さ方向の特定区間で前記プロテクタに収納されるとともに、前記電線の端部に固定された前記コネクタが前記プロテクタに固定されているものである。
【００１４】
この構成により、コネクタ組付け作業性に優れたコンパクトなプロテクタ付きワイヤハーネスを提供可能となる。
【発明の効果】
【００１５】
本発明によれば、プロテクタの内部へのコネクタの組付け作業を容易化でき、かつ、プロテクタを小サイズ化できるコネクタ固定構造を実現することができ、併せて、そのコネクタ固定構造を有するコネクタ組付け作業性に優れたコンパクトなプロテクタ付きワイヤハーネスを提供することができる。
【図面の簡単な説明】
【００１６】
【図１】本発明の第１の実施の形態に係るコネクタ固定構造およびプロテクタ付きワイヤハーネスにおけるプロテクタの横断面図である。
【図２】図１のＡ−Ａ矢視断面図である。
【図３】本発明の第１の実施の形態に係るコネクタ固定構造およびプロテクタ付きワイヤハーネスにおけるプロテクタの要部斜視図である。
【図４】本発明の第１の実施の形態に係るコネクタ固定構造およびプロテクタ付きワイヤハーネスにおけるプロテクタとコネクタの結合作業の説明図である。
【図５】本発明の第１の実施の形態に係るコネクタ固定構造およびプロテクタ付きワイヤハーネスにおけるプロテクタとコネクタの結合作業時の工程説明図である。
【図６】本発明の第１の実施の形態に係るコネクタ固定構造およびプロテクタ付きワイヤハーネスにおけるプロテクタとコネクタの結合状態の説明図である。
【図７】本発明の第２の実施の形態に係るコネクタ固定構造およびプロテクタ付きワイヤハーネスにおけるプロテクタの要部横断面図である。
【図８】（ａ）は本発明の第３の実施の形態に係るコネクタ固定構造およびプロテクタ付きワイヤハーネスにおけるプロテクタの要部平面図であり、（ｂ）は図８（ａ）Ｂ−Ｂ矢視断面図である。
【発明を実施するための形態】
【００１７】
以下、本発明を実施するための形態について図面を参照して説明する。
【００１８】
（第１の実施の形態）
本発明の第１の実施の形態に係るコネクタ固定構造を有するプロテクタ付きワイヤハーネスを、図１ないし図６に示している。
【００１９】
本実施形態のワイヤハーネス１０は、それぞれ絶縁被覆された複数本の電線１１を含む電線束１２と、電線束１２の長さ方向の特定区間に外装されたプロテクタ１３と、プロテクタ１３の長手方向の所定位置に設けられたコネクタ固定部１４と、電線束１２に装着された雌雄いずれか一方側の少なくとも１つのコネクタ１５と、を有している。
【００２０】
ワイヤハーネス１０は、電線束１２の複数の電線１１に図示しない複数の接続端子を装着してコネクタ１５に挿入し、プロテクタ１３を外装してユニット化したものであり、車両に搭載される電装機器をその電源や制御機器等に接続できるように構成されている。
【００２１】
複数の電線１１は、詳細を図示しないが、それぞれの芯線を可撓性のチューブ状の被覆で囲繞したものであり、その芯線は、例えば円形より線で構成され、被覆は、例えばポリ塩化ビニルまたはポリエチレン等を主体とする合成樹脂により形成されている。
【００２２】
電線束１２は、複数の電線１１を例えば外側のシースやコルゲートチューブ等の可撓性のチューブに収納したもの、絶縁テープや他の外装材で束ねたものであるが、プロテクタ１３により経路規制されるばらばらの電線群であてもよい。
【００２３】
プロテクタ１３は、少なくとも長手方向の一部で略凹状の横断面形状、例えば略Ｕ字形状の横断面形状をなし、電線束１２が収納される略凹状の内壁３１ｉを有するプロテクタ本体３１と、このプロテクタ本体３１と共に電線束１２を挿通可能な挿通孔３２を形成する蓋部材３５とによって構成されており、ワイヤハーネス１０の特定区間を取り囲みつつ保護するようになっている。
【００２４】
プロテクタ本体３１および蓋部材３５は、例えばポリプロピレンやナイロン樹脂等の合成樹脂により形成されており、プロテクタ１３は、プロテクタ本体３１および蓋部材３５を少なくとも１つのヒンジ結合部３６を介して一体に射出成形したものとなっている。
【００２５】
また、プロテクタ本体３１は、電線束１２を収納可能な電線収納溝３１ｇを有しており、その電線収納溝３１ｇを形成する底壁部３３および両側壁３４ａ、３４ｂを有している。また、両側壁３４ａ、３４ｂのうち片方の側壁３４ａは、プロテクタ１３の長手方向の所定位置にコネクタ固定部１４に対応する切欠き３４ｃを有している。
【００２６】
なお、図２に示す長手方向の範囲外において、蓋部材３５の回動端部および片方の側壁３４ａの上部には、例えばいわゆるスナップフィット構造の複数の係止爪部および係止凹部が設けられている。もっとも、プロテクタ本体３１および蓋部材３５は、互いに別体に成形されてもよく、その場合、ヒンジ結合部３６に代えて、別の係止爪部および係止凹部が設けられる。
【００２７】
コネクタ固定部１４は、プロテクタ１３の底壁部３３側に設けられており、このコネクタ固定部１４は、プロテクタ１３の内壁である底壁部３３の壁面に対して略平行に延びるコネクタ係止板４１と、コネクタ係止板４１の基端側を底壁部３３に一体に結合する弾性支持部材４２と、を含んで構成されている。
【００２８】
そして、コネクタ係止板４１は、コネクタ１５に対してその雌雄のコネクタ結合方向（以下、雌雄結合方向という）にスライド可能なスライド係合部４３と、コネクタ１５に対してその雌雄結合方向に抜け止め係止される抜け止め係止部４４とを有している。
【００２９】
コネクタ固定部１４は、さらに、コネクタ係止板４１の下方で弾性支持部材４２に隣接する開口を形成する底壁開口縁部４５を有している。
【００３０】
より具体的には、コネクタ係止板４１は、略長方形の板状をなしており、スライド係合部４３は、少なくともコネクタ係止板４１の短手方向の両側部４１ｅ、４１ｆの３面（上下面および側面）でコネクタ１５に対しスライド可能に係合するようになっている。
【００３１】
コネクタ１５は、少なくともコネクタ係止板４１の短手方向の両側部４１ｅ、４１ｆの３面にスライド可能に係合するスライドガイド部１５ａ、１５ｂを有するとともに、コネクタ係止板４１をその長手方向にスライドさせて挿入することができる挿入孔１５ｃを有している。
【００３２】
抜け止め係止部４４は、コネクタ係止板４１の中央部よりわずかに先端側に、角穴４４ａを開口させる開口縁部４４ｂを有している。
【００３３】
また、コネクタ１５の挿入孔１５ｃの内方には、コネクタ係止板４１が挿入孔１５ｃ内に挿入されるときにコネクタ係止板４１の先端部を撓ませながら抜け止め係止部４４の角穴４４ａ内に没入し、抜け止め係止部４４の開口縁部４４ｂのうちコネクタ係止板４１の先端側に位置する一辺部分に突き当て係合する抜け止め突部１５ｄが設けられている。
【００３４】
コネクタ係止板４１の挿入方向の先端上縁に係合する抜け止め突部１５ｄの一端側部分は、コネクタ係止板４１の挿入深さが大きくなるほど厚くなっており、コネクタ１５の挿入方向における抜け止め突部１５ｄの前端側に傾斜面１５ｅが形成されている。
【００３５】
そして、コネクタ１５は、コネクタ１５の挿入方向における抜け止め突部１５ｄの後端側部分が抜け止め係止部４４の開口縁部４４ｂの一辺部分に突き当て係合するとき、弾性支持部材４２を介して底壁部３３に一体に結合するコネクタ係止板４１に対して抜け止めされるようになっている。
【００３６】
弾性支持部材４２は、コネクタ係止板４１の基端部４１ａ側を底壁部３３に結合するとともに、図４に示すように、底壁部３３の壁面である内底壁面３３ａに対して、コネクタ係止板４１を弾性的に傾動可能に支持する弾性ヒンジ機能を有している。
【００３７】
この弾性支持部材４２は、コネクタ係止板４１の横断面と略同様な長方形の横断面形状を有している。また、弾性支持部材４２は、コネクタ１５の雌雄結合方向を波長方向とし、底壁部３３の内底壁面３３ａから離れるコネクタ係止板４１の上面４１ｂ側で山４２ｐとなり、コネクタ係止板４１の下面４１ｃ側で谷４２ｑとなる波形状をなしている。
【００３８】
さらに、コネクタ係止板４１の基端部４１ａに対し、弾性支持部材４２は、コネクタ係止板４１の基端部４１ａに隣接する一端側から底壁部３３に近付く他端側に近付くほど、その板厚が増しており、コネクタ係止板４１の先端部を押し上げるときに基端部４１ａに作用する曲げ応力が弾性支持部材４２によって緩和されるとともに、コネクタ係止板４１の押し上げ角度が後述するコネクタ結合時の傾斜姿勢までの所定角度に達しても基端部４１ａ付近の過度の曲げによる白化が有効に抑制されるようになっている。
【００３９】
弾性支持部材４２は、また、プロテクタ１３の底壁部３３に一体に形成されるとともに、コネクタ係止板４１の基端部４１ａに対して一体に形成されている。
【００４０】
底壁開口縁部４５は、コネクタ１５の雌雄結合方向におけるスライドガイド部１５ａ、１５ｂの全域に及ぶ開口４５ａを形成している。そして、弾性支持部材４２によりコネクタ係止板４１の基端部４１ａ側での曲げ剛性がある程度抑えられることと相俟って、コネクタ１５に相手側のコネクタが押し込まれるとき、コネクタ１５の後端部が底壁開口縁部４５に対し係合可能になっている。したがって、プロテクタ１３は、コネクタ係止板４１の抜け止め係止部４４によるコネクタ１５の抜け止めの機能を、底壁開口縁部４５によって補強できる構成となっている。
【００４１】
本実施形態のプロテクタ付きワイヤハーネスは、このようなコネクタ固定構造を有し、電線束１２が長さ方向の特定区間でプロテクタ１３に収納されるとともに、電線束１２の端部に固定されたコネクタ１５がプロテクタ１３に固定されている。
【００４２】
次に、プロテクタ１３のコネクタ固定部１４にコネクタ１５を固定する際の作業手順について説明する。
【００４３】
まず、図５（ａ）に示すように、プロテクタ１３の蓋部材３５を開放側に回動させて、プロテクタ本体３１の上方側を開放した後、電線束１２に装着された各コネクタ１５を対応するコネクタ固定部１４の上方に配置し、コネクタ係止板４１を同図中のＰ１方向に押し上げる。
【００４４】
これにより、図５(ｂ)に示すように、コネクタ係止板４１が、底壁部３３に対して同図中の反時計回り方向に傾動する。そして、コネクタ固定部１４の上方に配置したコネクタ１５をコネクタ係止板４１と同様な傾斜姿勢に傾斜させコネクタ係止板４１をコネクタ１５の挿入孔１５ｃに挿入する。
【００４５】
このとき、コネクタ１５のスライドガイド部１５ａ、１５ｂが、少なくともコネクタ係止板４１の短手方向の両側部４１ｅ、４１ｆの３面にスライド可能に係合し、コネクタ係止板４１をその長手方向にスライドさせながら挿入方向にガイドする。
【００４６】
そして、コネクタ１５の挿入方向における抜け止め突部１５ｄの後端側部分が抜け止め係止部４４の開口縁部４４ｂの一辺部分に突き当て係合可能な挿入深さまで、コネクタ係止板４１がコネクタ１５の挿入孔１５ｃに挿入されると、コネクタ係止板４１に対してコネクタ１５が抜け止め係止される。
【００４７】
次に、作用について説明する。
【００４８】
上述のように構成された本実施の形態のコネクタ固定構造およびプロテクタ付きワイヤハーネス１０においては、弾性支持部材４２に支持されたコネクタ係止板４１をプロテクタ１３の内底壁面３３ａに対して容易に傾動させることができ、コネクタ１５とコネクタ係止板４１とを、プロテクタ１３の内底壁面３３ａに対して傾斜する方向にスライドさせながら容易に抜け止め係止させることができる。
【００４９】
そして、スライド係合および抜け止め完了後のコネクタ１５タおよびコネクタ係止板４１を、弾性支持部材４２の弾性回復によりプロテクタ本体３１の内底壁面３３ａに対して略平行な姿勢に移行させることで、コネクタ固定状態に容易に移行できる。
【００５０】
したがって、プロテクタ１３の内底壁面３３ａに略平行な姿勢ではプロテクタ１３に対しコネクタ１５を雌雄結合方向にスライド係合させることが困難になるほど近傍に側壁３４ｂが立ち上がる構成でありながらも、プロテクタ１３の内部への底壁部３３に沿ったコネクタ１５の組付け作業が容易となる。
【００５１】
しかも、雌雄結合方向におけるプロテクタ本体３１の奥行きと高さを抑えるプロテクタ１３の小サイズ化が併せて可能となる。
【００５２】
また、本実施形態では、コネクタ係止板４１の基端部４１ａが、波形状の弾性支持部材４２を介して底壁部３３に支持される。したがって、コネクタ係止板４１をプロテクタ１３の内壁３１ｉと同一材料で形成しても、コネクタ係止板４１の押し上げ方向における許容曲げ角度を十分に大きく設定できる。その結果、コネクタ係止板４１の押し上げ角度がコネクタ結合時の傾斜姿勢まで押し上げられても、基端部４１ａ付近の過度の曲げによる白化が有効に抑制される。
【００５３】
このように、本実施形態においては、プロテクタ１３の内部へのコネクタ１５の組付け作業を容易化でき、かつ、プロテクタ１３を小サイズ化できるコネクタ固定構造を実現することができ、コネクタ組付け作業性に優れたコンパクトなプロテクタ付きワイヤハーネスを提供することができる。
【００５４】
（第２の実施の形態）
図７は、本発明の第２の実施の形態に係るコネクタ固定構を有するプロテクタ付きワイヤハーネスの要部を示している。なお、以下に説明する各実施の形態は、第１の実施の形態とは、プロテクタのコネクタ固定部の構成が相違するものの、他の構成は、第１の実施の形態と同様なものである。よって、以下、第１の実施の形態と同一または類似の構成については、第１の実施の形態の対応する構成要素の符号を用いながら、第１の実施の形態と相違する点について説明する。
【００５５】
本実施の形態においては、プロテクタ１３のコネクタ固定部１４は、プロテクタ１３の内壁である底壁部３３の壁面に対して略平行に延びるコネクタ係止板４１と、コネクタ係止板４１の基端側を底壁部３３に一体に結合する弾性支持部材５２と、を含んで構成されている。
【００５６】
弾性支持部材５２は、コネクタ係止板４１の横断面と略同様な長方形の横断面形状を有しており、コネクタ１５の雌雄結合方向を波長方向とする波形状をなしている。
【００５７】
この点は、第１の実施に形態と同様であるが、本実施の形態における弾性支持部材５２は、第１の実施の形態における弾性支持部材４２と波の山、谷の数が異なる、２連続の弾性ヒンジ構成となっており、山５２ｐ、谷５２ｑの数が弾性支持部材４２の山４２ｐ、谷４２ｑよりも多い点で、本実施の形態はこの点で第１の実施の形態とは相違する。
【００５８】
本実施の形態においても、第１の実施の形態と同様な効果が得られるのに加えて、コネクタ係止板４１の押し上げ操作に要する操作力を軽減でき、基端部４１ａ付近の白化をより有効に抑制できる。
【００５９】
（第３の実施の形態）
図８は、本発明の第３の実施の形態に係るコネクタ固定構を有するプロテクタ付きワイヤハーネスの要部を示している。
【００６０】
本実施の形態においては、プロテクタ１３のコネクタ固定部１４のうち弾性支持部材４２に近い底壁開口縁部４５の一方側（図８（ａ）中の左方側）に、底壁部３３からコネクタ係止板４１の上面４１ｂ側に突出するとともに、コネクタ係止板４１と略平行に延びる一対のガイドリブ６１、６２が設けられている。また、弾性支持部材４２から離れる底壁開口縁部４５の他方側には、底壁開口縁部４５の一部を隆起させた突当て部６３が設けられている。
【００６１】
なお、ガイドリブ６１、６２の突出高さは任意であるが、挿入作業性に悪影響が出ない範囲内で、弾性支持部材４２の曲げ剛性等を考慮して設定できる。また、弾性支持部材４２は、第２の実施の形態のような２連続の弾性ヒンジ構造でもよい。
【００６２】
本実施の形態においても、第１の実施の形態と略同様な効果が得られる。さらに、弾性支持部材４２の近傍の支持剛性を高めたりコネクタ１５の先端側のガイド機能を持たせたりすることができる。
【００６３】
なお、上述の各実施の形態では、プロテクタ１３の１つのコネクタ固定部１４の近傍のみを図示し、他の構成については、説明を省いたが、プロテクタ１３の長手方向に互いに離間する複数のコネクタ固定部１４を設け、各コネクタ固定部１４を上述の各実施の形態のように構成できることはいうまでもない。
【００６４】
また、上述の各実施の形態では、コネクタ１５側に一対のスライドガイド部１５ａ、１５ｂと挿入孔１５ｃとが形成され、そこにコネクタ固定部１４のコネクタ係止板４１が挿入されるものとしたが、コネクタ１５側にステー状のあるいは略Ｔ字横断面のスライドレールが一体に装着され、プロテクタ側に弾性ヒンジを介して底壁部３３に弾性的に傾動可能に支持された板状部と一対のスライドガイド部とを有する押し上げ可能なコネクタ係止板が設けられてもよい。
【００６５】
さらに、コネクタとコネクタ係止板との抜け止め係止用の凹凸係合部分（例えば抜け止め突部１５ｄおよび角穴４４ａ）の凹凸が逆になってもよいことはいうまでもない。
【００６６】
以上説明したように、本発明は、プロテクタの内部へのコネクタの組付け作業を容易化でき、かつ、プロテクタを小サイズ化できるコネクタ固定構造を実現することができるものであり、併せて、そのコネクタ固定構造を有するコネクタ組付け作業性に優れたコンパクトなプロテクタ付きワイヤハーネスを提供できるものである。かかる本発明は、ワイヤハーネスの特定区間を保護するプロテクタにコネクタを固定するのに好適なコネクタ固定構造およびその構造を有するプロテクタ付きワイヤハーネス全般に有用である。
【符号の説明】
【００６７】
１０  ワイヤハーネス
１２  電線束（電線）
１３  プロテクタ
１４  コネクタ固定部
１５  コネクタ
１５ａ、１５ｂ  スライドガイド部
１５ｃ  挿入孔
１５ｄ  突当て突部
１５ｅ  傾斜面
３１  プロテクタ本体
３１ｇ  電線収納溝
３１ｉ  内壁
３２  挿通孔
３３  底壁部
３３ａ  内底壁面
３４ａ、３４ｂ  側壁
３５  蓋部材
３６  ヒンジ結合部
４１  コネクタ係止板
４１ａ  基端部
４１ｅ、４１ｆ  両側部
４２、５２  弾性支持部材
４２ｐ、５２ｐ  山
４２ｑ、５２ｑ  谷
４３  スライド係合部
４４  抜け止め係止部
４４ａ  角穴
４４ｂ  開口縁部
４５  底壁開口縁部
４５ａ  開口
６１、６２  ガイドリブ
６３  突当て部
Ｐ１  押し上げ方向
【図１】
2017118763.tif 000003
【図２】
2017118763.tif 000004
【図３】
2017118763.tif 000005
【図４】
2017118763.tif 000006
【図５】
2017118763.tif 000007
【図６】
2017118763.tif 000008
【図７】
2017118763.tif 000009
【図８】
2017118763.tif 000010